(57)【要約】【課題】簡易な構成と作業手順で迅速に設置でき、しかも低コストで作成可能な間仕切りシート、間仕切り壁及び間仕切り壁の設置方法を提供すること。【解決手段】一対の支持部間に間仕切り１を形成するための間仕切りシートである。シート本体３の高さ方向一端部を幅方向に沿って折返す。折返した折返部の遊端部をこれに対向するシート本体３部分に対してこの折返部に沿って適宜間隔で設けられた固着部４でハトメにより固定し、支柱１０を挿入可能とするポケット部５を形成してある。【選択図】        図２
2004346645.tif 000002
【特許請求の範囲】
【請求項１】
一対の支持部（１００，１０１）間に間仕切り（１）を形成するための間仕切りシートであって、シート本体（３）の高さ方向一端部を幅方向に沿って折返し、折返した折返部（３ａ）の遊端部をこれに対向する前記シート本体（３）部分に対してこの折返部（３ａ）に沿って適宜間隔で設けられた固着部（４）で固定することにより、支柱（１０，２０）を挿入可能とするポケット部（５）を形成したことを特徴とする間仕切りシート。
【請求項２】
前記固着部（４）を局所的に設けることを特徴とする請求項１に記載の間仕切りシート。
【請求項３】
前記支柱（１０，２０）の長さよりも当該間仕切りシート（２）の前記高さ方向の長さがより長いことを特徴とする請求項１又は２に記載の間仕切りシート。
【請求項４】
前記固着部（４）がハトメ（４ａ）により構成されていることを特徴とする請求項１〜３のいずれかに記載の間仕切りシート。
【請求項５】
前記シート本体（３）を開閉するための開口部（６）を前記固着部（４）と前記幅方向のほぼ同位置に形成したことを特徴とする請求項１〜４のいずれかに記載の間仕切りシート。
【請求項６】
前記ポケット部（５）が前記固着部（４）において幅方向に貫通する貫通孔（５ｂ）を備えていることを特徴とする請求項１〜５のいずれかに記載の間仕切りシート。
【請求項７】
請求項１〜６のいずれかに記載の間仕切りシートを用いた間仕切り壁であって、前記一対の支持部（１００，１０１）間で突っ張ることの可能な支柱（１０，２０）と前記間仕切りシート（２）とを備えた間仕切り壁。
【請求項８】
請求項１〜６のいずれかに記載の間仕切りシートを用いた間仕切り壁の設置方法であって、前記ポケット部（５）に前記支柱（１０，２０）の一端を挿入し、この前記支柱（１０，２０）を立て、さらに前記支柱（１０，２０）の他端と支持部の一方（１０１）との間に間仕切りシートの余剰部（８）を挟み、前記支柱（１０，２０）を前記一対の支持部（１００，１０１）間で突っ張らせることを特徴とする間仕切り壁の設置方法。
【請求項９】
前記ポケット部（５）が前記固着部（４）において幅方向に貫通する貫通孔（５ｂ）を備えており、他の支柱（３０）を複数の貫通孔（４ｂ）を貫通させて設置することを特徴とする請求項８に記載の間仕切りシートの設置方法。
【発明の詳細な説明】
【０００１】
【発明の属する技術分野】
本発明は、例えば工事現場やイベント会場における養生や空間の遮蔽等のため、天井と床等の一対の支持部間に間仕切りを形成するための間仕切りシートに関するものである。
【０００２】
【従来の技術】
従来、工事現場等において間仕切りシートを設置する場合には、接着テープにて柱や壁に接着させたり、シートに設けた孔に紐や針金等を通し、柱等に結びつけて固定することが通常であった。但し、これらの手作業は煩雑で、シートに適切なテンションを与えることが困難であり、風圧等の環境変化によって間仕切り自体を維持することができなかった。そのため、特許文献１に記載の如く間仕切りシートに伸長制御材を配設したシート及びその取付装置が提案されている。
【０００３】
【特許文献１】
特開平７−１５０７７０号公報
【０００４】
上記文献記載においては、シート本体の強度を高めると共に天井及び床に固着する取付部材を用いることで、テンションをより確実なものとしている。
【０００５】
しかし、上記のような特別な部材を天井と床とに設置するための作業は未だ煩雑でしかもコスト高となる。また、現場によっては、上述の特別な取付部材の設置自体が不可能な場合もある。
【０００６】
【発明が解決しようとする課題】
かかる従来の実情に鑑みて、本発明は、簡易な構成と作業手順で迅速に設置でき、しかも低コストで作成可能な間仕切りシート、間仕切り壁及び間仕切り壁の設置方法を提供することを目的とする。
【０００７】
【課題を解決するための手段】
上記目的を達成するため、本発明に係る間仕切りシートの特徴は、一対の支持部間に間仕切りを形成するための構成であって、シート本体の高さ方向一端部を幅方向に沿って折返し、折返した折返部の遊端部をこれに対向する前記シート本体部分に対してこの折返部に沿って適宜間隔で設けられた固着部で固定することにより、支柱を挿入可能とするポケット部を形成したことにある。
【０００８】
同特徴によれば、ポケット部に支柱を挿入してその先端を固着部に係止し、支柱を間仕切りシートと共に持ち上げて支柱を一対の支持部間で突っ張らせることで設置を行うことができる。すなわち、設置に特別な下準備も特別な部材をも必要としない。また、支柱の突っ張りで生じる摩擦力を利用して間仕切りシートに適度な水平方向のテンションを発生させることができる。
【０００９】
また、前記固着部は局所的に設けることが望ましい。ポケット部の開口部が広くなり、支柱を挿入しやすいので作業性が向上するからである。
【００１０】
前記支柱の長さよりも当該間仕切りシートの前記高さ方向の長さがより長いことが望まれる。支柱の他端と他の支持部との間に間仕切りシートの残余部分を挟み込んで高さ方向のテンションをも付与できるからである。
【００１１】
前記固着部がハトメにより構成されていることが望ましい。ハトメの孔に紐や針金を通して固定することも可能だからである。
【００１２】
前記ポケット部が前記固着部において幅方向に貫通する貫通孔を備えていることが望ましい。支柱が先端に膨大部を備えていても、貫通孔がこの膨大部を幅方向に逃がして不要なシワやストレスを低減し、しかも、横支柱を貫通させることが可能だからである。
【００１３】
前記シート本体を開閉するための開口部を前記固着部と前記幅方向のほぼ同位置に形成することが望ましい。
【００１４】
シート本体を開閉する際に生じるシート本体を上下に引っ張る力が、前記固着部に設置された支柱によってシート本体に力がかかることを防ぐことができ、適切な間仕切りを維持することが可能となるからである。
【００１５】
一方、上記特徴に記載の間仕切りシートを用いた間仕切り壁の特徴は、前記一対の支持部間で突っ張ることの可能な支柱と前記間仕切りシートをとを備えたことにある。
【００１６】
また、上記特徴のいずれかに記載の間仕切りシートを用いた間仕切り壁の設置方法の特徴は、前記ポケット部に前記支柱の一端を挿入し、この前記支柱を立て、さらに前記支柱の他端と支持部の一方との間に間仕切りシートの余剰部を挟み、前記支柱を前記一対の支持部間で突っ張らせることにある。
【００１７】
加えて、前記ポケット部が前記固着部において幅方向に貫通する貫通孔を備えており、他の支柱を複数の貫通孔を貫通させて設置してもよい。
【００１８】
【発明の効果】
このように、上記本発明に係る間仕切りシートの特徴によれば、支柱端部を挿入可能とするポケットを成形することにより、一対の支持部に特別な取付部材を用いた加工を施すことなく、簡易な構成と作業手順で迅速に適切なテンションを与え、しかも低コストで設置できる間仕切りシート、間仕切り壁及び間仕切り壁の設置方法を提供することが可能となった。
【００１９】
本発明の他の目的、構成及び効果については、以下の発明の実施の形態における記載で明らかになるであろう。
【００２０】
【発明の実施の形態】
次に、添付図面を参照しながら、本発明をさらに詳しく説明する。
図１に示すように、本発明に係る間仕切り１は、間仕切りシート２と、複数の支柱１０よりなる。また、この間仕切りシート２は、図２〜４に示すように、大略、シート本体３と適宜間隔で設けられた固着部４により形成されるポケット部５と、間仕切りされた空間への出入り口となる開口部６とからなる。また、間仕切りシート２は、支持部の天井高さより全長が長く構成されており、下端側は余剰部８となる。
【００２１】
シート本体３には、例えば、化学繊維を織り重ねて成形した可撓性の半透明シートが用いられる。シート本体３の周縁は、折返縁３ｂがシート本体３に重なるように適宜小幅で折り返されており、小さな折返し部の中央のステッチ部３ｃに示すように縫い糸によって縫い合されて、間仕切りシート２の破れ等を防止する。
【００２２】
間仕切りシート２の高さ方向の上端部を幅方向に沿ってほぼ均一幅で折返した折返部３ａを、これに対向するシート２部分に対して適宜間隔設けた固着部４においてハトメ４ａ等を用いて固着することで、袋状のポケット部５を形成している。ハトメ４ａは、一対の円盤状の金属の一部を固着部４でシート本体３の折返部３ａを貫通させて互いに固着したもので、中央部には紐７を挿通可能な貫通孔４ｂが成形される。固着部４と固着部４の間は支柱１０のポケット部５に対する挿入の作業性を向上させるため、大幅に開放されている。
【００２３】
本実施形態に用いられる支柱１０は、図５（ａ）に示すように、大略本体１１、上柱部１４、下柱部１５とからなる。本体１１は、ばね１２と、ばね固定部１２ａと、調整部１３とを備えている。また、上柱部１４、下柱部１５が挿入可能となるよう両端が開口した中空状である。ばね１２は、その下端１２ａで本体１１内部に固定支持されており、ばね１２上端部は挿入された上柱部１４と接触し、上柱部１４と下柱部１５とを上下に反発させる。調整部１３は、下柱部１５の露出長さを支持部の天井高さに合わせるよう調節でき、支柱１０の長さを決定する。
【００２４】
上柱部１４の上端には、上記ポケット部５に挿入し天井１００と当接する上支持板１４ａを有し、下柱部１５の下端には、床１０１と当接する下支持板１５ａを有している。上記ばね１２は、これら支持板の間に、上柱部１４に天井１００と床１０１間で突っ張るための反発力を与える。上支持板１４ａ，下支持板１５ａは円形を呈し、シート本体３の破れを防ぐと共に、天井１００，床１０１との接触で水平方向の摩擦力を増大させる。
【００２５】
次に、間仕切りシートの設置について説明する。
図２、３、５（ａ）、６（ａ）に示すように、まず、支柱１０を上述のポケット部５の角部にある固着部４のハトメ４ａに沿うように挿入する。そして、間仕切りシート２を先端に係止したまま支柱１０を持ち上げ、調整部１３において下柱部１５の長さをに調整し、ねじ１３ｂをねじ孔１５ｂに螺合させる。調整後、下支持板１５ａと床１０１との間に余剰部８を挟ませて支柱１０を設置する。余剰部８を挟むことによって、間仕切りシート２にある程度の垂直方向の張りを与え、間仕切りシート２を上下方向に沿った壁状とする。
【００２６】
次に、図６（ｂ）に示すように、ポケット部５の角部にあるハトメ４Ａと隣り合うハトメ４Ｂとの間に支柱１０をハトメ４Ｂに沿うように挿入する。すると、間仕切りシート２はハトメ４Ａ、４Ｂによって支柱１０，１０に係止することとなる。その係止力ＴＥ１、ＴＥ２により、間仕切りシート２に張力が発生する。
【００２７】
そして、図６（ｃ）に示すように、ハトメ４Ｂに隣り合うハトメ４Ｃとの間に支柱１０をハトメ４Ｃに沿うように挿入する。上述の通り、ハトメ４Ｃにおいても、間仕切りシート２を支柱１０に係止する係止力ＴＥ３が発生し、間仕切りシート２に張力が発生する。それに対し、ハトメ４Ｂにおいて挿入した支柱１０の上支持板１４ａには、支柱１０の長さ調整によって突っ張り力が掛かっているため、上支持板１４ａと接触している部分には摩擦力ＴＦ１が発生している。すなわち、上述の摩擦力ＴＦ１と係止力ＴＥ３とを釣り合わせることによってシート本体が水平方向のテンションを得ることとなり、天井１００に間仕切りシート２の上部を間仕切り１全体としての気密性を向上させることができる。この支柱の挿入を順次隣り合うハトメ４ａについて行うことで、適切な緊張状態での間仕切り設置が可能となる。
【００２８】
また、支柱の膨大部である上支持板１４ａの形状に合わせポケット部５は広がる。そのポケット部５の広がりは、間仕切りシート２の上端部をチャンネル状に形成し、テンションに対する耐久力を与える。そして、固着部４において幅方向に沿う貫通部５ｂを形成したことで、固着部４において上支持板１４ａを受け入れ、この膨大部による不要なストレスやシワの発生を防いでいる。これにより間仕切り１は強固に支持される。
【００２９】
図１、６に示すように、開口部６には、スライドファスナー６ａが用いられている。この開口部６は、固着部４と幅方向のほぼ同位置に形成し、その固着部４には支柱１０が設置されている。開口部６の開閉により、シート本体３には高さ方向上下にシート本体を引っ張る力が掛かるが、このような開口部６と固着部４との位置関係により、支柱１０がその力を支持して間仕切りシート２のずれを防いでいる。
【００３０】
次に、図５（ｂ）、７〜９を参照しながら、本発明の第二実施形態について説明する。なお、上述と同様の部材には同様の符号を附してある。
【００３１】
本実施形態に用いられる支柱２０は、図５（ａ）に示すように、大略本体２１と、この本体２１内部に挿入される上柱部２２とからなる。本体２１の下端及び上柱部２２の上端にはそれぞれキャップ２１ａ，２２ａが被せられている。また、２１内部にはねじりコイルばね２１ｂが挿入され、その下端２１ｃが本体２１の下端に固定されている。一方、ばね２１ｂの上部は上柱部２２内に挿入されると共に、上柱部２２の下端を貫通するピン２２ｂに係合する。そして、ばね２１ｂに対して上柱部２２と共にピン２２ｂを相対回転させることで、ねじりコイルの螺旋を利用して本体２１からの上柱部２２の露出量を調整する。
【００３２】
図７、８に示すように、本実施形態においては、さらにチャンネルとしての横支柱３０をポケット部５の固着部４における貫通部５ｂに水平方向に挿入してある。この場合、複数の縦支柱２０，２０間に上台座２２ａの上へ横支柱３０を被せることで天井１００に押し付けて固定する。横支柱３０を挿入することで、支柱２０の安定性を高めると共に、縦支柱２０，２０間の間仕切りシート２の垂下を防止することができる。本例では、横支柱３０の右端が間仕切りシート２から外へ突出しており、例えば、この横支柱３０に他の横支柱３０を重ねることも可能である。
【００３３】
また、開口部６が、縦支柱２０，２０の間に位置しても、横支柱３０によって、開口部６の開閉に伴う上下方向の力を受け止めることができ、間仕切りシート２のずれを防ぐことができる。この場合は、開口部６は固着部４の幅方向同位置にあることを要しない。なお、固着部４は、図に示すように、適宜異なる間隔で設けても構わない。
【００３４】
図９では、先のポケット部５の貫通部５ｂを横支柱３０により貫通させてある。そして、天井１００及び床１０１間に突っ張る状態で設けられた縦支柱２０，２０のそれぞれに、横支柱３０の両端をロープや針金等で固定して、間仕切り１を形成してある。
【００３５】
最後に、本発明のさらに他の実施形態について説明する。
シートの材質は、化学繊維に限られるものではなく、天然繊維、ガラス繊維、金属繊維等であってもよく、プラスチックフィルムや、それらの複合材でもよい。
【００３６】
上記第一実施形態において、支柱は図５（ａ）に示す種類のものを用いたが、図５（ｂ）に示す種類の支柱であってもよい。ただし、支持板がより大きい（ａ）の方がより大きい水平方向の摩擦力を増大させて大きなテンションに耐え、安定性の面でも優れている。
【００３７】
上記実施形態において、固着部４にハトメ４ａを用いたが、テンションや係止に耐えうるものであればよく、例えば、ボタン、リベット、接着剤や縫製による直接接着であってもよい。しかし、強度上の有利さと紐の通し易さから、ハトメを用いることが望ましい。
【００３８】
上記実施形態において、ポケット部５を成形する際折返しを１回のみに留めた。しかし、複数回折り返してより強固なポケット部５を形成してもよい。
【００３９】
上記実施形態においては支柱１０，２０を鉛直方向に沿わせたが、一対の支持部１００，１０１を壁面とし、支柱１０，２０を水平方向に沿わせてもよい。すなわち、本発明にいう高さ方向とは一対の支持部１００，１０１の並ぶ方向であり、幅方向とは高さ方向に対する垂直方向を意味する。
【００４０】
上記実施形態において、開口部６にはスライドファスナー６ａを用いたが、面ファスナーや他の手段であってもよい。開口部６は、必要に応じて設けたり省略すればよいが、シート本体にかかる力が少なく開閉が行い易い点から、ファスナーを用いることが望ましい。
【００４１】
上記第二実施形態において、横支柱にチャンネルを用いたが、横支柱の上側に載置できるのであれば、Ｌ字アングルや平板を用いてもかまわない。
【００４２】
なお、特許請求の範囲の項に記入した符号は、あくまでも図面との対照を便利にするためのものにすぎず、該記入により本発明は添付図面の構成に限定されるものではない。
【図面の簡単な説明】
【図１】本発明の第一実施形態に係る間仕切りシートを示す斜視図である。
【図２】ポケット部を示す斜視図である。
【図３】ポケット部の側面図である。
【図４】ポケット部を示す拡大正面図である。
【図５】本発明の実施形態に使用する支柱の側面図であり、（ａ）は本発明の第一実施形態において用いるもの、（ｂ）は本発明の第二実施形態において用いるものを示す。
【図６】本発明に係る間仕切りシートの設置手順を説明するための正面図である。
【図７】本発明の第二実施形態に係る図３相当図である。
【図８】第二実施形態に係る間仕切りシートの設置手順を示す正面図である。
【図９】第二実施形態に係る間仕切りシートの他の設置例を示す正面図である。
【符号の説明】
１：間仕切り，２：間仕切りシート，３：シート本体，３ａ：折返部，３ｂ：折返縁，３ｃ：ステッチ部，４：固着部，４ａ：ハトメ，４ｂ：貫通孔，５：ポケット部，５ａ：底部，５ｂ：貫通部，６：開口部，６ａ：スライドファスナー，７：紐，８：余剰部，１０：支柱，１１：本体，１２：ばね，１２ａ：下端，１３：調整部，１３ａ：取っ手，１３ｂ：ねじ，１３ｃ：取り付け部，１４：上柱部，１４ａ：上支持板，１５：下柱部，１５ａ：下支持板，１５ｂ：ねじ孔，２０：支柱，２１：本体，２１ａ：下台座，２１ｂ：ばね，２１ｃ：ばね固定部，２２：上柱部，２２ａ：上台座，２２ｂ：ばね係合部，３０：横支柱，１００：天井，１０１：床
【図１】
2004346645.tif 000003
【図２】
2004346645.tif 000004
【図３】
2004346645.tif 000005
【図４】
2004346645.tif 000006
【図５】
2004346645.tif 000007
【図６】
2004346645.tif 000008
【図７】
2004346645.tif 000009
【図８】
2004346645.tif 000010
【図９】
2004346645.tif 000011